(57)【要約】【課題】  ＩＣタグ用紙を、定着部の加熱ロールと加圧ロールが形成するニップ部にて定着すると、加熱ロールの熱と加圧ロールの圧力によって、ＩＣタグは壊れて使用できなくなる。【解決手段】  給紙部と、現像部と、加熱ロールと加圧ロールにてニップを形成する定着部と、用紙搬送部とを有し、ＩＣタグが埋設されたＩＣタグ用紙にトナー画像を印刷する印刷装置において、前記印刷装置は、前記ＩＣタグ用紙の印刷幅をＰ、前記ニップ長をＮとしたときＮ＝Ｐとし、ＩＣタグ１個の最大幅をＴとしたとき、前記印刷装置の用紙搬送幅Ａ、印刷範囲幅Ｂが、Ａ＝Ｂ≧Ｐ＋２Ｔとし、前記給紙部は、前記ＩＣタグ用紙の前記ＩＣタグの位置を検出する検出部と、一対の用紙ガイドと、一対のリンク機構を有し、前記一対のリンク機構により前記一対の用紙ガイドを前記ＩＣタグ用紙の搬送に対し直角方向に移動可能とした。【選択図】図１
2009122467.tif 000002
【特許請求の範囲】
【請求項１】
給紙部と、現像部と、加熱ロールと加圧ロールにてニップを形成する定着部と、用紙搬送部とを有し、ＩＣタグが埋設されたＩＣタグ用紙にトナー画像を印刷するＩＣタグ用紙印刷装置において、前記ＩＣタグ用紙印刷装置は、前記ＩＣタグ用紙の印刷幅をＰ、前記ニップ長をＮとしたときＮ＝Ｐとし、ＩＣタグ１個の最大幅をＴとしたとき、前記印刷装置の用紙搬送幅Ａ、印刷範囲幅Ｂが、Ａ＝Ｂ≧Ｐ＋２Ｔとし、前記給紙部は、前記ＩＣタグ用紙の前記ＩＣタグの位置を検出する検出部と、一対の用紙ガイドと、一対のリンク機構を有し、前記一対のリンク機構により前記一対の用紙ガイドを前記ＩＣタグ用紙の搬送に対し直角方向に移動可能としたことを特徴とするＩＣタグ用紙印刷装置。
【請求項２】
前記検出部で検出した前記ＩＣタグの位置情報により、前記ＩＣタグの位置が前記ニップ長と重ならない位置にＩＣタグ用紙を移動することを特徴とする請求項１記載のＩＣタグ用紙印刷装置。
【発明の詳細な説明】
【技術分野】
【０００１】
本発明は、ＩＣタグを埋設した用紙に印刷を行うＩＣタグ用紙印刷装置に関するものである。
【背景技術】
【０００２】
図３は従来技術を説明するものである。図左は印刷装置を側面より見た図である。トナー画像を、加熱及び加圧定着し印刷物を形成する従来の印刷装置３２は、給紙ロール４３を有する給紙部３３、現像機４２とレーザにて光走査する光学部（不図示）と転写部５０とを有する現像部３４、定着部３５に用紙を搬送する搬送ロール４４を有する搬送部、金属円筒３９の内部にヒータを有し、外周部にゴムまたは樹脂の表面層３８を皮膜した加熱ロール３６と、加圧ロール３７と、動力伝達部２２とを有する定着部３５から構成される。用紙４５は、給紙ロール４３にて現像部３４へ搬送される。現像部３４では、光学部（不図示）と、現像機４２と、転写部５０とで、用紙４５に未定着トナー画像を形成する。次に、用紙４５の未定着トナー画像は、定着部３５の加熱ロール３６と加圧ロール３７にて形成されるニップ部を通過して、圧力と熱によって定着される。
【０００３】
印刷時に、用紙の固有情報を識別するため、一般には用紙４５の端部（４隅の一部）に、用紙４１のようにバーコード４０を印刷する印刷装置が知られている（例えば、特許文献１参照）。しかし、バーコードの場合、用紙上に占める面積が大きい問題がある。
【０００４】
そのため、バーコードに代わるものとして、小型の固有情報を識別するＩＣタグを埋没させたＩＣタグ用紙、または、小型のＩＣタグを貼り付けたＩＣタグ用紙に情報を印刷するインクジェット方式の印刷装置がＩＣタグ用紙印刷装置として知られている（例えば、特許文献２参照）。
【０００５】
【特許文献１】特開２００５−６６９８０号公報
【特許文献２】特開２００６−２０９４９７号公報
【発明の開示】
【発明が解決しようとする課題】
【０００６】
ＩＣタグ用紙の印刷装置としては、インクジェット印刷装置が用紙にダメージを与えない印刷装置として一般的である。しかし、レーザプリンタにてＩＣタグ用紙の印刷が可能であれば、高速かつ高精細、低価格が可能である。レーザプリンタに具備する定着部の表面層を有する加熱ロールと加圧ロールが形成するニップ部にて定着すると、加熱ロールの熱と加圧ロールの圧力によって、ＩＣタグは壊れて使用できなくなることがある。一般に、ＩＣタグの保存温度は１７０℃以下である。しかし、レーザプリンタの加熱ロールの定着温度は１８０℃以上である。また、加圧ロールの加圧によりＩＣタグ用紙のＩＣタグ部分を潰すため、定着部のニップ部を通過させ定着することによりＩＣタグを使用不可にしてしまうことがある。
【課題を解決するための手段】
【０００７】
本願発明は、給紙部と、現像部と、加熱ロールと加圧ロールにてニップを形成する定着部と、用紙搬送部とを有し、ＩＣタグが埋設されたＩＣタグ用紙にトナー画像を印刷するＩＣタグ用紙印刷装置において、前記ＩＣタグ用紙印刷装置は、前記ＩＣタグ用紙の印刷幅をＰ、前記ニップ長をＮとしたときＮ＝Ｐとし、ＩＣタグ１個の最大幅をＴとしたとき、前記印刷装置の用紙搬送幅Ａ、印刷範囲幅Ｂが、Ａ＝Ｂ≧Ｐ＋２Ｔとし、前記給紙部は、前記ＩＣタグ用紙の前記ＩＣタグの位置を検出する検出部と、一対の用紙ガイドと、一対のリンク機構を有し、前記一対のリンク機構により前記一対の用紙ガイドを前記ＩＣタグ用紙の搬送に対し直角方向に移動可能としたことを特徴とする。
【０００８】
また、前記検出部で検出した前記ＩＣタグの位置情報により、前記ＩＣタグの位置が前記ニップ長と重ならない位置にＩＣタグ用紙を移動することを特徴とする。
【発明の効果】
【０００９】
本発明のＩＣタグ用紙印刷装置によれば、ＩＣタグ用紙のＩＣタグを故障することなく、ＩＣタグ用紙の現像、定着が可能となり、ＩＣタグ用紙を破棄することが少なくなり、電子写真装置の信頼性を高め、環境資源保護ができる。
【発明を実施するための最良の形態】
【００１０】
以下、図１、図２は本発明の実施例を説明するものである。
【００１１】
印刷装置３１は、本願発明のＩＣタグ用紙印刷装置である。印刷装置３１は、給紙ロール１６を有する給紙部１、現像機１１とレーザにて光走査する光学部と、転写部４９とを有する現像部２、金属円筒７の内部にヒータ、外周部にゴムまたは樹脂の表面層６を皮膜した加熱ロール４と、加圧ロール５と、ギアなどの動力伝達部８と２２とモータＭを有する定着部３、搬送ロール１７にてＩＣタグ用紙９や１２を搬送する搬送部にて構成される。
【００１２】
用紙搬送に対して直角方向でトナー定着画像形成可能な印刷幅をＰとする。すなわち用紙幅Ｐは、Ａ４サイズやＡ３サイズのＩＣタグ用紙の幅（用紙搬送に対し直角方向）から、タグの幅（最大幅Ｔ）を除いた定着可能な幅である。
【００１３】
定着部３の加熱ロール４と加圧ロール５とは、軸方向にニップ長Ｎを形成し、その関係をＮ＝Ｐとした。Ｎ＜Ｐでは、トナーが定着されない範囲が生じる。Ｎ＞Ｐでは、加圧ロール５や加熱ロール４でタグを潰す範囲が生じることがある。
【００１４】
給紙部１は、ガイド１８、２０を有し、ガイド１８はリンク機構１９の、ガイド２０はリンク機構２１の回転動作によって用紙搬送に対し直角方向に移動する。この時、ガイド１８と２０の間隔は、ＩＣタグ用紙１２の用紙搬送に対し直角方向の幅と同等か若干広く保持しながら、両者が同方向に移動する。
【００１５】
また、給紙部１は、レール１４を移動してＩＣタグ用紙１２に埋め込まれたＩＣタグ１３の位置を信号の送受信により検出する検出部１５を有する。
【００１６】
検出部１５は、ＩＣタグ１３がＩＣタグ用紙１２の幅方向のどこあるかを検出する。検出部１５の情報により、ガイド１８と２０がＩＣタグ用紙１２を移動させる。
【００１７】
図１の場合、ＩＣタグ用紙１２のＩＣタグ１３が、ＩＣタグ用紙１２の右側にあるため、給紙部１のリンク機構１９、２１によってガイド１８と２０を右側に動かし、ＩＣタグ用紙１２をＩＣタグ１３の最大幅Ｔだけ右側に移動する。ここで、最大幅Ｔは、ＩＣタグ１３それ自身の幅もしくは、定着部３の熱や圧力を回避するマージンを含む場合がある。ＩＣタグ用紙１２は、給紙ロール１６によって、現像部２に搬送され、光学部、現像機１１と転写部４９とによって、ＩＣタグ用紙１２にトナーの未定着画像が形成される。次に、ＩＣタグ用紙１２は定着部３に搬送され定着される。先に搬送されたＩＣタグ用紙９のＩＣタグ１０は、前記工程によりニップ長Ｎを通過することはなく、ＩＣタグ用紙９のトナー画像は定着される。
【００１８】
図２の場合、ＩＣタグ用紙２５のＩＣタグ２６が、ＩＣタグ用紙２５の左側にあるため、給紙部１のリンク機構１９、２１によってガイド１８と２０は、ＩＣタグ用紙２５をＩＣタグの最大幅Ｔだけ左側に移動する。ＩＣタグ用紙２５は、給紙ロール１６によって、現像部２に搬送され、光学部と現像機１１と転写部４９とによって、ＩＣタグ用紙２５にトナーの未定着画像が形成される。次に、搬送ローラ１７によりＩＣタグ用紙２５は定着部３に搬送され定着される。先に搬送されたＩＣタグ用紙２３のＩＣタグ２４は、前記工程によりニップ長Ｎを通過することはなく、ＩＣタグ用紙２３のトナー画像は定着される。
【００１９】
ガイド１８と２０の移動量を考慮した場合、用紙搬送幅Ａ及び印刷範囲幅ＢはＡ＝Ｂ≧Ｐ＋２Ｔに設定するのが好ましい。ここで、印刷範囲幅Ｂとは現像可能な範囲を示している。Ａ＝Ｂ＝Ｐ＋２Ｔとすることで、無駄なスペースが最も少ない印刷装置を得ることができる。
【００２０】
なお、本発明の印刷装置３１が主に使用するＩＣタグ用紙は、ＩＣタグを用紙端部の一部に設けたものである。使用するＩＣタグは５ｍｍより小型であると特に好ましい。また、本発明ではＩＣタグ用紙を使用したが、一般の普通紙で印刷可能であることはいうまでもない。
【００２１】
ＩＣタグの小型化により、それを埋め込んだＩＣタグ用紙が多用途に使用される。その中で、ＩＣタグ用紙のトナー画像印刷が実現する本発明の印刷装置は印刷業において利用可能である。
【００２２】
給紙部に、ＩＣタグ用紙のＩＣタグの位置を検出する検出部１５を設けること、検出部１５のＩＣタグ位置情報により、用紙ガイド１８、２０が、ＩＣタグ１３の位置がニップの軸方向範囲に重ならないようにＩＣタグ用紙１２を移動する構成とした。
【図面の簡単な説明】
【００２３】
【図１】実施例のＩＣタグ用紙印刷装置を示す概略図である。
【図２】実施例のＩＣタグ用紙印刷装置を示す概略図である。
【図３】従来の印刷装置を示す概略図である。
【符号の説明】
【００２４】
１は給紙部、２は現像部、３は定着部、４は加熱ロール、５は加圧ロール、６は表面層、７は金属円筒、８は動力伝達部、９はＩＣタグ用紙、１０はＩＣタグ、１１は現像機、１２はＩＣタグ用紙、１３はＩＣタグ、１４はレール、１５は検出部、１６は給紙ロール、１７は搬送ロール、１８、２０はガイド、１９、２１はリンク機構、２２は動力伝達部、２３、２５はＩＣタグ用紙、２４、２６はＩＣタグ、３１は印刷装置、３２は印刷装置、３３は給紙部、３４は現像部、３５は定着部、３６は加熱ロール、３７は加圧ロール、３８は表面層、３９は金属円筒、４０はバーコード、４１は用紙、４２は現像機、４３は給紙ロール、４４は搬送ロール、４５は用紙、４９、５０は転写部を示す。
【図１】
2009122467.tif 000003
【図２】
2009122467.tif 000004
【図３】
2009122467.tif 000005